(57)【特許請求の範囲】
【請求項１】
河川等の水路の幅方向の両端部分にそれぞれ取り付けられる支持部材と、
前記水路の一方の前記端部分に取り付けた支持部材によって支持されて、前記水路の中にてこの水路の流れを利用して発電を行う水力発電装置と、
前記水路の他方の前記端部分に取り付けた支持部材によって前記水力発電装置よりも上流側に支持されて、前記水路の流れを受けてこの流れを前記水力発電装置へとガイドする水流ガイド部材と、を備え、
前記水力発電装置と前記水流ガイド部材はそれぞれ、前記支持部材によって前記水路の底から距離をあけて支持されることを特徴とする水力発電設備。
【請求項２】
前記水流ガイド部材は、
前記水路の流れ方向に開閉する扉体を備え、
この扉体を閉状態にして前記水路の流れを前記水力発電装置へとガイドし、
この扉体を開状態にして前記水路の流れを前記扉体の下流に逃がすことを特徴とする請求項１に記載の水力発電設備。
【請求項３】
前記水流ガイド部材は、前記扉体を複数備えることを特徴とする特徴とする請求項２に記載の水力発電設備。
【請求項４】
前記水流ガイド部材は、前記扉体を上流側に押圧して閉状態にする押圧部を備えることを特徴とする請求項２または３に記載の水力発電設備。
【発明の詳細な説明】
【技術分野】
【０００１】
本発明は、河川等の水路の流れを利用して発電を行う水力発電設備に関する。
【背景技術】
【０００２】
特許文献１には、河川の流れを利用して水力発電を行う設備が提案されている。
【０００３】
この設備は、河川に堰を設けて河川の流れを水力発電用の水車に集中させ、この水車の回転によってポンプを駆動して河川の水を汲み上げ、地上に配した発電機によってこの汲み上げた水を利用して発電を行うものである。
【先行技術文献】
【特許文献】
【０００４】
【特許文献１】特許第４９４７８００号公報
【発明の概要】
【発明が解決しようとする課題】
【０００５】
しかし、上述のように河川に堰を設けた場合、河川の流れを水車に集中させることができるが、川床の土砂も水車へ集中させることとなり、この土砂の流入によって水車の回転が阻害されたり、水車に破損が生じるおそれがある。
【０００６】
また、上述のように地上に発電機を設置した場合、自然の景観を損ねることとなり、その結果、水力発電設備の設置にあたって地元住民からの反発を受けやすく、また役所からの許可が得にくい。
【０００７】
そこで、上記事情を鑑みて、本発明は、河川等の水路の流れを水力発電装置へ集中させたうえで、水力発電装置への土砂の流入を抑制することができ、尚且つ自然の景観を極力損ねないようにすることができる水力発電設備を提案することを課題とする。
【課題を解決するための手段】
【０００８】
上記課題を解決するために本発明の水力発電設備は、河川等の水路の幅方向の両端部分にそれぞれ取り付けられる支持部材と、前記水路の一方の前記端部分に取り付けた支持部材によって支持されて、前記水路の中にてこの水路の流れを利用して発電を行う水力発電装置と、前記水路の他方の前記端部分に取り付けた支持部材によって前記水力発電装置よりも上流側に支持されて、前記水路の流れを受けてこの流れを前記水力発電装置へとガイドする水流ガイド部材と、を備え、前記水力発電装置と前記水流ガイド部材はそれぞれ、前記支持部材によって前記水路の底から距離をあけて支持されることを特徴とする。
【０００９】
また、前記水流ガイド部材は、前記水路の流れ方向に開閉する扉体を備え、この扉体を閉状態にして前記水路の流れを前記水力発電装置へとガイドし、この扉体を開状態にして前記水路の流れを前記扉体の下流に逃がすことが好ましい。
【００１０】
このとき、前記水流ガイド部材は、前記扉体を複数備えることが好ましい。
【００１１】
また、前記水流ガイド部材は、前記扉体を上流側に押圧して閉状態にする押圧部を備えることが好ましい。
【発明の効果】
【００１２】
本発明の水力発電設備では、支持部材によって水力発電装置と水流ガイド部材とを、河川等の水路中に水路の底から距離をあけて支持することで、水流ガイド部材及び水力発電装置と水路の底との間に下方空間を形成することができる。これにより、本発明の水力発電設備では、水流ガイド部材によって水路の流れを水力発電装置へと集中させたうえで、水路の底を移動する土砂は、前記下方空間を通じて下流側へと流して、水力発電装置への土砂の流入を抑制することができる。また、本発明の水力発電設備では、これらの水流ガイド部材及び水力発電装置を水路の中に配置することで、自然の景観を極力損ねないようにすることができる。
【図面の簡単な説明】
【００１３】
【図１】本発明の実施形態の水力発電設備を概略的に示し、（ａ）は平面図であり、（ｂ）は河川の上流側から視た正面図である。
【図２】図１（ｂ）のＡ−Ａ’線における断面図であり、同上の水力発電設備における水力発電装置を示す。
【図３】図１（ｂ）のＢ−Ｂ’線における断面図であり、同上の水力発電設備における水流ガイド部材を示し、（ａ）は通常の使用状態であり、（ｂ）は増水時の使用状態である。
【図４】同上の水力発電設備における支持部材を示し、（ａ）は平面図であり、（ｂ）は水路側から視た側面図である。
【図５】同上の水力発電設備における支持部材の他例を示す斜視図である。
【発明を実施するための形態】
【００１４】
以下、本発明の実施形態について添付図面に基づいて説明する。
【００１５】
本実施形態の水力発電設備１は、河川２ａ等の水路２に設置され、この水路２の流れを利用して水力発電を行う設備である。図１には、河川２ａからなる水路２に水力発電設備１を配置した例を示している。
【００１６】
水力発電設備１は、水路２の幅方向の両端部分２０，２１となる堤防２０ａ，２１ｂの水路２側にそれぞれ取り付けられる支持部材３と、この支持部材３によって支持される水力発電装置４と、同じく支持部材３によって支持される水流ガイド部材５と、を備える。
【００１７】
水力発電装置４は、水路２の一方の端部分２０となる堤防２０ａの水路２側に取り付けた支持部材３（以下、この支持部材３を第一支持部材３０という）によって、水路２の水中に支持される。水力発電装置４は、水路２の中にてこの水路２の流れを利用して発電を行う。
【００１８】
また、水流ガイド部材５は、水路２の他方の端部分２１となる堤防２１ｂの水路２側に取り付けた支持部材３（以下、この支持部材３を第二支持部材３１という）によって支持されて、水力発電装置４よりも上流側の水路２の水中に配置される。水流ガイド部材５は、水路２の流れ方向に対して交差して配置され、水路２の流れを受けてこの流れを水力発電装置４へとガイドする。
【００１９】
水力発電装置４と水流ガイド部材５はそれぞれ、第一又は第二支持部材３０，３１（支持部材３）によって水路２の水中に、水路２の底２２から距離をあけた状態で支持される。この水力発電装置４及び水流ガイド部材５は、乾季等の水路２の水面の高さが最低水位となる場合でも水路２の水面よりも低く位置するようにその支持位置が設定されることが好ましい。
【００２０】
水力発電装置４は、図１（ｂ）及び図２に示すように、筒状のハウジング４０と、筒状のハウジング４０内に回転自在に取り付けられた水車４１と、水車４１の回転軸４２の回転エネルギーを電力に変換する発電機４３と、を備える。発電機４３は、ハウジング４０の外側に取り付けられる。
【００２１】
ハウジング４０は、天板４０ａと底板４０ｂと２枚の側板４０ｃ，４０ｄとを一体化させて形成される。天板４０ａ、底板４０ｂ、及び２枚の側板４０ｃ，４０ｄはそれぞれ矩形板状である。２枚の側板４０ｃ，４０ｄはそれぞれ、図１（ｂ）に示すように、天板４０ａの両側端部よりも中央側の部位と、底板４０ｂの両側端部よりも中央側の部位に一体化されている。２枚の側板４０ｃ，４０ｄは、互いに離して配置され、間に水車４１を設置される。
【００２２】
ハウジング４０は、その上流側に、図２に示すように、ハウジング４０内に流れ込む水路２の水の流れ方向を水車４１の下部側へとガイドする上流側ガイド部４０ｅを備えている。上流側ガイド部４０ｅは、側面視にて断面略Ｖ字状をなしており、天板４０ａ、または両側板４０ｃ，４０ｄ、または天板４０ａ及び両側板４０ｃ，４０ｄと一体に形成されている。
【００２３】
また、ハウジング４０は、水車４１を回転させた後の流れをガイドする下流側ガイド部４０ｆを、下流側に備えている。下流側ガイド部４０ｆは、側面視にて断面略Ｖ字状をなしており、天板４０ａ、または両側板４０ｃ，４０ｄ、またはその両方と一体に形成されている。
【００２４】
水車４１は、図２に示すように、発電機４３に動力を伝達する回転軸４２と、この回転軸４２に固定された回転体４４と、回転体４４の外周に設けられる複数の羽根４５とを備える。複数の羽根４５は、水の流れを受けて回転体４４を回転させる。回転軸４２は、ハウジング４０の両側板４０ｃ，４０ｄに回転自在に軸受けされ、上流側ガイド部４０ｅの下端と略同じ高さに配置される。
【００２５】
ハウジング４０の一方の側板４０ｃの外側には、水車４１の回転軸４２に接続された発電機４３が固定されている。発電機４３は、外郭が防水ケースで形成され、図示しないケーブルを介して外部に発電した電気を送電する。
【００２６】
また、ハウジング４０は、第一支持部材３０に係止されて支持される係止部４６を複数（本実施形態では上側に３つと下側に３つ）備えている。係止部４６は、ハウジング４０の天板４０ａと底板４０ｂからそれぞれ側外方に向けて突出させ、その先端部を下方に突出させて略Ｌ字状に形成される。
【００２７】
また、ハウジング４０は、水流ガイド部材５が接続される接続部４７を複数（本実施形態では上下に１つずつ）備えている。接続部４７は、ハウジング４０の天板４０ａと底板４０ｂのそれぞれ上流端の側端部（係止部４６を配置した側とは反対側の側端部）となる箇所に上下方向に穿設した孔によって形成される。
【００２８】
水流ガイド部材５は、図１（b）及び図３に示すように、水路２の流れ方向に開閉する複数扉体５０と、各扉体５０を上流側に押圧して閉状態にする複数の押圧部５１を備える。
【００２９】
詳しくは、本実施形態では、水流ガイド部材５は、図１（ｂ）に示すように、横方向（幅方向）に長尺の上枠５２と、横方向（幅方向）に長尺の下枠５３と、この上枠５２と下枠５３とに架設される縦方向（上下方向）に延びた複数の縦枠５４と、を備える。水流ガイド部材５には、これらの枠体５２，５３，５４で囲まれる開口部５５が複数形成され、各開口部５５が扉体５０によって開閉される。複数の開口部５５及びこれと同数の複数の扉体５０は、水流ガイド部材５の長手方向の略全長に亘って横並びに設けられる。
【００３０】
上枠５２と下枠５３には、横並びの一方の縦枠５４に平行に近接させて、枢支軸５６が架設されている。この枢支軸５６に、矩形板状の扉体５０の側端部が回転自在に枢支されている。枢支軸５６には、押圧部５１であるバネ５１ａが巻きつけられている。バネ５１ａは、図３（ａ）に示すように、一端が扉体５０の下流側面に押し当てられ、他端が一方の縦枠５４の下流側面に押し当てられている。これにより、バネ５１ａは、扉体５０を所定の力で上流側（閉成側に回動する向き）に押圧して開口部５５を閉じる。
【００３１】
上枠５２及び下枠５３の長手方向の一方の端部には、第二支持部材３１に支持される係止部５７を備える。また、上枠５２及び下枠５３の長手方向の他方の端部には、水力発電装置４の接続部４７に接続される被接続部５８を備える。係止部５７と被接続部５８は、上枠５２及び下枠５３からその長手方向に向けて突出させ、その先端部を下方に突出させて略Ｌ字状に形成される。本実施形態では、水流ガイド部材５の係止部５７は、水力発電装置４の係止部４６と同大同形となるように形成されている。
【００３２】
上述した本実施形態の水流ガイド部材５は、水路２の流れから受ける力がバネ５１ａ（押圧部５１）から付与される力よりも強い場合に、図３（ｂ）に示すように、扉体５０が開口部５５を開いて開状態となる。このように扉体５０を開状態にすることで、水流ガイド部材５は水路２の流れを開口部５５を介して扉体５０の下流に逃がすことができる。また、水路２の流れから受ける力がバネ５１ａ（押圧部５１）から付与される力よりも弱い場合に、図３（ａ）に示すように、扉体５０が開口部５５を閉じて閉状態となる。このように扉体５０を閉状態にすることで、水流ガイド部材５は水路２の流れを受けて水力発電装置４へとガイドすることができる。
【００３３】
図４（ａ）及び図４（ｂ）には、本実施形態の第一支持部材３０を示している。本実施形態の第二支持部材３１は、図４（ａ）及び図４（ｂ）に示す第一支持部材３０を左右反転させた構造となっている。第一及び第二支持部材３０，３１は、上下に長い柱状をなしている。第一及び第二支持部材３０，３１は、平断面略コ字状の枠体３２と、枠体３２の開口先端部に架設された複数（本実施形態では２つ）の支持バー３３と、各支持バー３３の上方に取り付けられた複数（本実施形態では２つ）のロック手段３４と、を備える。複数の支持バー３３は、上下方向に互いに離間されて配置されている。各ロック手段３４は、枠体３２の下流側の部位の内側に取り付けられている。水流ガイド部材５の係止部５７または水力発電装置４の係止部４６は、各支持バー３３の上方の枠体３２の内側空間に挿入して、下方に移動させて各支持バー３３に引っ掛け、各ロック手段３４によってその係止状態を固定することによって、支持部材３に支持される。
【００３４】
枠体３２は、矩形板状の後壁３２ａと、その両端部から垂直に突出した矩形板状の両側壁３２ｂ，３２ｃとで平断面略コ字状に構成される。第一及び第二支持部材３０，３１は、この後壁３２ａの背面が、堤防２０ａ，２１ｂの水路２側を向くように取り付けられる。以下では、このように堤防２０ａ，２１ｂの水路２側に後壁３２ａの背面を向けた状態で下流側に位置する側壁３２ｂを下流側側壁３２ｂといい、上流側に位置する側壁３２ｃを上流側側壁３２ｃという。
【００３５】
この上流側側壁３２ｃと下流側側壁３２ｂの先端部に、棒状の複数（本実施形態では２つ）の支持バー３３が上下方向に離間されて架設されている。そして、各支持バー３３の上方の下流側側壁３２ｂの内側に、各支持バー３３から上下方向及び前後方向に所定距離あけて、矩形板状のロック手段３４が固定されている。
【００３６】
ロック手段３４は、係止部４６，５７を支持バー３３との間に配することで、これらの係止部４６，５７の先端部の下方への突出部分が支持バー３３に係止された状態から支持部材３から外れることを防止する。係止部４６，５７には、水路２に配置することで水圧を受けて下流側へと力が付与される。これにより、係止部４６，５７は、支持バー３３とロック手段３４との間の上下隙間から上流側へと抜けにくくなる。
【００３７】
ロック手段３４は、図４（ｂ）に示すように、その上端部が、上流側側壁３２ｃとの間の距離が上側ほど広くなるように先細テーパ状に形成されている。これより、ロック手段３４条方の枠体３２の内側空間に挿入した係止部４６，５７の支持バー３３への設置が行いやすくなっている。
【００３８】
上述した本実施形態の水力発電設備１の河川２ａへの設置手順の一例について説明する。
【００３９】
まず、河川２ａの幅方向の一方の端部分２０である堤防２０ａの上方から、この堤防２０ａに近接する位置の川床（底２２）にドリル等で穴を掘り、そこに柱状の支持部材３（第一支持部材３０）の下端部を打ち込む。これにより、支持部材３（第一支持部材３０）の下端部を位置固定する。なお、必ずしも川床（底２２）に支持部材３（第一支持部材３０）の下端部を打ち込む必要はなく、他の手段で支持部材３（第一支持部材３０）の下端部を位置固定してもよい。
【００４０】
次いで、この第一支持部材３０の後壁３２ａの上端部に略Ｌ字状の固定具６を係止させて、第一支持部材３０の上端部を堤防２０ａに固定する。この一方の堤防２０ａには、複数（本実施形態では４つ）の第一支持部材３０を河川２ａの流れ方向に沿って所定の間隔をあけながら固定する。ここで、第一支持部材３０は、枠体３２の後壁３２ａの背面が堤防２０ａの水路２側に重なるように配置する。同じようにして、河川２ａの幅方向の他方の端部分２１である堤防２１ｂに、支持部材３（第二支持部材３１）を１つ固定する。このとき、第二支持部材３１は、枠体３２の開口方向が、この後、第一支持部材３０によって支持される水力発電装置４の接続部４７の位置する方向を向くように固定する。なお、本実施形態では、第二支持部材３１は、最上流に配置された第一支持部材３０と河川２ａの流れ方向に対して略同位置に配置している。
【００４１】
次いで、クレーン等で水力発電装置４を吊り上げて、河川２ａに設置する。このとき、水力発電装置４の６つの係止部４６を、上流側から数えて２番目から４番目の第一支持部材３０の枠体３２内に挿入して、各支持バー３３に係止させる。水力発電装置４には河川２ａの流れによって下流側に力がかかることで、６つの係止部４６が、各支持バー３３と各ロック手段３４との間に入り込んで係止状態が固定される。これにより、水力発電装置４は、第一支持部材３０によって支持されて、河川２ａ内の位置が固定される。本実施形態では、水力発電装置４は、筒状のハウジング４０の開口方向が河川２ａの流れ方向と同じ向きになるように固定設置している。
【００４２】
次いで、クレーン等で水流ガイド部材５を吊り上げて、河川２ａに設置する。このとき、水流ガイド部材５をその長手方向が河川２ａの流れ方向と平行になるように河川２ａに沈めながら、水流ガイド部材５の下流側端部の２つの被接続部５８を、水力発電装置４の２つの孔状の接続部４７に挿入する。
【００４３】
次いで、水流ガイド部材５の上流側端部を、堤防２１ｂに徐々に近づけ、水流ガイド部材５の２つの係止部５７を、第二支持部材３１の各支持バー３３に係止させる。水流ガイド部材５には河川２ａの流れによって下流側に力がかかることで、２つの係止部５７が、支持バー３３とロック手段３４の間に入り込んで係止状態が固定される。これにより、水流ガイド部材５は、第二支持部材３１によって支持されて、河川２ａ内の位置が固定される。本実施形態では水流ガイド部材５は、水力発電装置４よりも上流側に配置され、且つ、水力発電装置４に河川２ａの流れを集中させるため、下流側ほど水力発電装置４に近づくように河川２ａの流れに対して傾斜させて配置している。なお、水流ガイド部材５の水力発電装置４への接続と第二支持部材３１への接続は、同時に行うようにしてもよい。
【００４４】
次いで、最上流の第一支持部材３０と水流ガイド部材５の下流端部をロープやワイヤー等の接続具７で繋ぐ。このとき、水流ガイド部材５のうち最も下流側の開口部５５の上方の上枠５２に接続具７を結びつける。これにより水流ガイド部材５の下流側端部の支持強度を強化することができる。なお、水流ガイド部材５ではなく、水力発電装置４の接続部４７と最上流の第一支持部材３０とを接続具７で繋いでもよい。このようにしても、接続部４７を介して水流ガイド部材５の下流側端部の支持強度を強化することができる。
【００４５】
そして、最下流の第一支持部材３０と、水力発電装置４の下流側端部の水流ガイド部材５側の部分とを接続具７で繋ぐ。
【００４６】
以上のようにして河川２ａに配置された本実施形態の水力発電設備１では、図１（ａ）に示すように、水力発電装置４の上流側に水流ガイド部材５が配置されるとともに、この水流ガイド部材５が水力発電装置４に接続されている。これにより、水流ガイド部材５で河川２ａを流れる水の流れを受けて、この流れを水力発電装置４へと集中させ、水力発電装置４の発電効率を向上させることができる。
【００４７】
加えて、本実施形態の水力発電設備１では、図１（ｂ）に示すように、支持部材３によって水流ガイド部材５と水力発電装置４が、河川２ａの川床（底２２）から所定の距離あけて支持されることで、水流ガイド部材５及び水力発電装置４と水路２の底２２との間に下方空間を形成することができる。これにより、河川２ａの川床（底２２）を流れる土砂は、この下方空間を通じて下流側へと流れる。その結果、水力発電装置４に土砂が流入して、水力発電装置４の水車４１の回転効率が低下することや、水力発電装置４の水車４１が破損することを抑制できる。
【００４８】
また、本実施形態の水力発電設備１では、図１（ｂ）に示すように、支持部材３によって支持される水流ガイド部材５と水力発電装置４は、河川２ａの水面よりも下方に配置される。これにより、河川２ａの水面付近を流れる枯葉や樹木やゴミなどの浮遊異物は、そのまま水流ガイド部材５及び水力発電装置４の上方を下流側へと流れる。その結果、水力発電装置４にこれらの浮遊異物が流入して、水力発電装置４の水車４１の回転効率が低下することや、水力発電装置４の水車４１が破損することを抑制できる。
【００４９】
上述したように本実施形態の水力発電設備１では、土砂や浮遊異物の水力発電装置４への流入を抑制できるため、メンテナンスの必要性が低くて使い勝手の良いものとなっている。また、水流ガイド部材５及び水力発電装置４を河川２ａの水面よりも下方に配置することで、本実施形態の水力発電設備１は、自然の景観を損ねにくいものとなっている。
【００５０】
また、本実施形態の水力発電設備１では、水流ガイド部材５が、図３に示すように、水路２の流れ方向に開口する複数の開口部５５と、これを開閉する複数の扉体５０と、扉体５０を上流側に所定の力で押圧する複数の押圧部５１とを備える。これにより、増水時などの水の勢いが強くなった場合には、扉体５０が自動的に開いて、水路２の流れから受ける力を減らして、水流ガイド部材５やこれを支持する支持部材３が破損することを抑制できる。また、扉体５０を複数備えることで、水路２の流れからの受ける力を分散でき、扉体５０自体が破損することも抑制できる。また、水の勢いが所定以下となった場合には、押圧部５１によって自動的に扉体５０を閉じることができ、水流ガイド部材５を水路２の流れを受けて水力発電装置４へとガイドする状態へと戻すことができる。
【００５１】
なお、上述した水流ガイド部材５では、同数の開口部５５及び扉体５０を、水流ガイド部材５の長手方向の略全長に亘って横並びに配置した例について説明したが、水力発電装置４に集中させる水量や、水流ガイド部材５にかかる負荷に合わせて、水力発電装置４から離れた側の端部の開口部５５には、扉体５０を設けないようにしてもよい。
【００５２】
また、上述した実施形態では、水流ガイド部材５の開口部５５に対して扉体５０を押圧部５１によって上流側に押圧するように設けて、水路２を流れる水の勢いに対応して、自動的に扉体５０が開口部５５を開閉する構造としたが、これに限定されない。つまり、外部からの操作によって、扉体５０が開口部５５を開閉するように構成してもよい。
【００５３】
また、水流ガイド部材５は、水路２の流れから所定以上の力を受けたときに、その力を逃すことができるものであればよく、上述した実施形態の構成に限定されない。例えば、水流ガイド部材５を弾性変形可能な長方形板で形成して、水路２の流れから受ける強さが所定以上の場合に、短手方向の一方の端部が下流側に弾性的に変位するものであってもよい。
【００５４】
また、上述した最上流と最下流の第一支持部材３０は、接続具７を結びつけることができるものであればよく、上流側から数えて２番目から４番目の第一支持部材３０とは異なる構造であってもかまわない。また、最上流と最下流の第一支持部材３０の構成を省いて、上流側から数えて２番目から４番目の第一支持部材３０と、第二支持部材３１によってのみ水力発電装置４と水流ガイド部材５とを支持してもよい。
【００５５】
また、支持部材３は上述した形状のものに限定されない。例えば、支持部材３は、支持バー３３を上下に離間させて３つ以上備えるものであってもよい。このようにすることで、支持部材３に水力発電装置４や水流ガイド部材５を支持させる際に高さ設定をしやすくすることができる。
【００５６】
また、支持部材３（第一支持部材３０）は、図５に示すように、ブロック状に形成し、係止部４６を１つ支持するものとしてもよい。
【００５７】
詳しくは、図５に示す支持部材３は、上方に開口した枠体３５と、枠体３５内に配した支持バー３６と、支持バー３６に係止された係止部４６，５７を固定するロック手段３７とを備える。枠体３５は、下壁３５ａとその両端部から上方に突出した両側壁３５ｂ，３５cとを備える。上流側に配置される側壁３５cには、その上端部に棒状のロック手段３７の長手方向の一端部が回転自在に取り付けられている。また、下流側に配置される側壁３５ｂには、ロック手段３７に対応する箇所に、ロック手段３７の長手方向の他端部が嵌め込まれる溝３８が形成されている。ロック手段３７は、支持部材３を水路２中に配置することで、水路２の流れによってロック手段３７に下流側に力がかかるため、長手方向の一端部を溝３８内に保持しやすいものとなっている。なお、第二支持部材３１は、第一支持部材３０を左右反転させた構造となる。
【００５８】
また、水路２には、水力発電装置４と水流ガイド部材５とをそれぞれ１つずつ設けることが好ましいが、水路２の幅に合わせて、水力発電装置４と水流ガイド部材５の数を変えてもかまわない。例えば、第二支持部材３１に水流ガイド部材５を支持させ、第一支持部材３０に他の水流ガイド部材５を介して水力発電装置４を支持させ、この２つの水流ガイド部材５で水力発電装置４の上下位置を固定するようにしてもよい。この場合であっても、水力発電装置４及び水流ガイド部材５を、水中に水路２の底２２から距離をおくように配置させることで、水力発電装置４への土砂の流入の抑制と、自然の景観を極力損ねないようにすることができる。
【００５９】
また、水力発電装置４と水流ガイド部材５とは接続させて設けることが好ましいが、水力発電装置４と水流ガイド部材５とを離して設けてもよい。その場合、水流ガイド部材５で受けた流れを水力発電装置４へと集中させることができるように水流ガイド部材５を配置すればよい。
【００６０】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００６１】
１      水力発電設備
２      水路
３      支持部材
４      水力発電装置
５      水流ガイド部材
２０    一方の端部分
２１    他方の端部分
２２    底
３０    支持部材（第一支持部材）
３１    支持部材（第二支持部材）
５０    扉体
５１    押圧部
【要約】
【課題】河川等の水路の流れを水力発電装置へ集中させたうえで、水力発電装置への土砂の流入を抑制することができ、尚且つ自然の景観を極力損ねないようにすることができる水力発電設備を提案する。
【解決手段】本発明の水力発電設備１は、河川等の水路２の幅方向の両端部分２０，２１にそれぞれ取り付けられる支持部材３と、水路２の一方の端部分２０に取り付けた支持部材３（３０）によって支持されて、水路２の中にてこの水路２の流れを利用して発電を行う水力発電装置４と、水路２の他方の端部分２１に取り付けた支持部材３（３１）によって水力発電装置４よりも上流側に支持されて、水路２の流れを受けてこの流れを水力発電装置４へとガイドする水流ガイド部材５と、を備える。そして、水力発電装置４と水流ガイド部材５はそれぞれ、支持部材３によって水路２の底２２から距離をあけて支持される。
【選択図】図１【図１】
0005422028.tif 000002
【図２】
0005422028.tif 000003
【図３】
0005422028.tif 000004
【図４】
0005422028.tif 000005
【図５】
0005422028.tif 000006